(57)【特許請求の範囲】
【請求項１】
切妻屋根の妻側端部分の先端部に取付ける屋根切妻側装飾体であって、切妻屋根の妻側端部分を上から被覆する上面被覆面と、切妻屋根の妻壁すなわち破風の上側部を側面から被覆する破風上側被覆面と、破風先端面の上側部を前面から被覆する前面上側被覆面とを備え、前記破風上側被覆面及び前面上側被覆面の下端縁部に沿って垂下面を介して接合片を添設してなる構成を有する上部装飾体と、破風の下側部を側面から被覆する破風下側被覆面と、破風先端面の下側部を前面から被覆する前面下側被覆面と、切妻屋根の妻側端部分を下から被覆する下面被覆面とを備え、前記破風下側被覆面及び前面下側被覆面の上端縁部に沿って垂下面を介して接合片を添設してなる構成を有する下部装飾体とからなり、上部装飾体と下部装飾体との接合片同士を重合させて破風被覆面及び前面被覆面内に重合面及び対立する垂下面からなる溝部を形成すると共に、前記重合面のうち破風被覆面内の部分のみ接合片同士を固着し、前面被覆面内の溝部は上下に分割可能としてなる構成を有する屋根切妻側装飾体。
【発明の詳細な説明】
【０００１】
【発明の属する技術分野】
本発明は、建物のけらば部分すなわち切り妻屋根の妻側端部、中でも特に妻側端部の先端部に装着する屋根切妻側装飾体に関する。
【０００２】
【従来の技術及び発明が解決しようとする課題】
最近の建物の屋根構造には、切り妻屋根の外観を向上させるため、屋根の切り妻端部を包み込むように屋根切妻側装飾板を装着してなるものがある。
【０００３】
この種の屋根切妻側装飾体の取付けは、比較的長尺な部材を高所に取付ける作業となり、装飾体を手で支えながら位置合わせを行ない、位置が決まったところで、装飾体を手で支えながら釘やボルトなどを打ち込んで固定作業を行なうというものであった。このため、一人でこの取付け作業を行なうことは極めて困難であり、ましてこの取付作業を一人で短時間のうちに行なうことは無理なことであった。
【０００４】
そこで本発明は、取付け作業を一人でも簡易かつ短時間で行なうことができる屋根切妻側装飾体を提供せんとするものである。
【０００５】
【課題を解決するための手段】
かかる課題を解決するため、本発明は、切妻屋根の妻側端部分に取付ける屋根切妻側装飾体であって、切妻屋根の妻側端部分を上から被覆する上面被覆面と、切妻屋根の妻壁すなわち破風を側面から被覆する破風被覆面と、切妻屋根の妻側端部分を下から被覆する下面被覆面とから断面コ字状を形成すると共に、破風被覆面内に長さ方向に伸びた溝部を設け、この溝部を折目として破風被覆面をくの字状に弾性変形させて前記断面コ字状の開口側を弾性的に拡開させ得るように屋根切妻側装飾体を構成することととした。
このような構成を有する装飾体であれば、装飾体支持材（ブラケット）を破風の長さ方向に適宜間隔をおいて取付けておき、この装飾体支持材に対して屋根切妻側装飾体を、溝部を折目として断面コ字状の開口側を拡開させて外側から被せて装着することによって仮固定することができるから、装飾体を手で支えないでも以後の位置調整及び固定作業等といった取付け作業を行なうことができるようになり、装飾体の取付け作業を一人でも簡易かつ短時間で行なうことができる。
【０００６】
ところで、切妻屋根の妻側端部分の先端部に取付ける屋根切妻側装飾体においては、破風先端面を前面から被覆する前面被覆面を設ける必要があるから、上記の如く破風被覆面内に長さ方向に伸びた溝部を設けただけでは、装飾体の開口側すなわち破風側を弾性的に拡開させることは難しい。
そこで本発明は、切妻屋根の妻側端部分の先端部に取付ける屋根切妻側装飾体であって、切妻屋根の妻側端部分を上から被覆する上面被覆面と、切妻屋根の妻壁すなわち破風の上側部を側面から被覆する破風上側被覆面と、破風先端面の上側部を前面から被覆する前面上側被覆面とを備え、前記破風上側被覆面及び前面上側被覆面の下端縁部に沿って垂下面を介して接合片を添設してなる構成を有する「上部装飾体」と、破風の下側部を側面から被覆する破風下側被覆面と、破風先端面の下側部を前面から被覆する前面下側被覆面と、切妻屋根の妻側端部分を下から被覆する下面被覆面とを備え、前記破風下側被覆面及び前面下側被覆面の上端縁部に沿って垂下面を介して接合片を添設してなる構成を有する「下部装飾体」とからなり、「上部装飾体」と「下部装飾体」との接合片同士を重合させて破風被覆面及び前面被覆面内に重合面及び対立する垂下面からなる溝部を形成すると共に、前記重合面のうち破風被覆面内の部分のみ接合片同士を固着し、前面被覆面内の溝部は上下に分割可能となるように屋根切妻側装飾体を構成することとした。
【０００７】
かかる構成を有する装飾体によれば、破風先端面を前面から被覆する前面被覆面を設けても、この前面被覆面における接合片の重合面は固着してないからこの部分は上下に分割させて口を開かせることができ、上記の装飾体同様、溝部を折目として破風被覆面をくの字状に弾性変形させて破風側すなわち開口側を拡開させるように弾性変形させることができるから、やはり一人でも簡単かつ短時間で取付けを行なうことができる。
【０００８】
【発明の実施の形態】
以下、実施例に基づいて本発明の実施形態について説明する。
【０００９】
（実施例１）
本実施例にかかる屋根切妻側装飾体１は、図１及び図３に示すように、切妻屋根５０の妻側端部分すなわちケラバ部分に装着する、破風５２に沿って長尺な装飾体であって、薄い金属板材からなる上部装飾体１Ａと、これとは別体の下部装飾体１Ｂとから構成されている。
【００１０】
上部装飾体１Ａは、切妻屋根５０の妻側端部分（破風５２含む）を上から被覆する上面被覆面２と、切妻屋根５０の妻壁すなわち破風５２の上側部を側面から被覆する破風上側被覆面３Ａと、破風５２先端面５２ｃの上側部を前面から被覆する前面上側被覆面４Ａとから一体に形成してある。
【００１１】
上面被覆面２には、上面被覆面２の外側端縁部２ａすなわち妻側端縁部から内側（すなわち屋根葺材５１側）に適宜幅、好ましくは若干幅だけ寄った部位に、長手方向に沿って言いかえれば当該外側端縁部２ａに沿って段差部６が設けられ、この段差部６の外側部（上面外側部２ｃ）を内側部（上面内側部２ｄ）より一段高く形成すると共に、当該段差部６の軒側端部を、上面被覆面２の軒先端部に至る手前にて内側すなわち屋根葺材５１側に向けて傾斜状に折曲してある。更に、上面被覆面２の内側端縁部２ｂには屋根葺材５１側に垂下してなる固着片部７を連設してある。
また、破風上側被覆面３Ａ及び前面上側被覆面４Ａの下端縁部には、破風５２側に垂下してなる垂下面８Ａを介して破風５２と平行な接合片９Ａを添設してある。
【００１２】
他方の下部装飾体１Ｂは、破風５２の下側部を側面から被覆する破風下側被覆面３Ｂと、破風５２先端面５２ｃの下側部を前面から被覆する前面下側被覆面４Ｂと、切妻屋根５０の妻側端部分（破風５２含む）を下から被覆する下面被覆面５とから一体に形成してある。
【００１３】
破風下側被覆面３Ｂ及び前面下側被覆面４Ｂの上端縁部には、破風５２側に垂下してなる垂下面８Ｂを介して破風５２と平行な接合片９Ｂを添設してあり、下面被覆面５には、短手方向中間部位に長さ方向に沿って凹溝部１０を折曲形成すると共に、この下面被覆面５の内側端縁部５ａを立ち上げて起立片１１を形成してある。
【００１４】
上記構成を有する屋根切妻側装飾体１は、図２（Ａ）（Ｂ）に示すように、接合片９Ａ、９Ｂ同士を重合し、この重合面９のうちの破風上下被覆面３Ａ、３Ｂからなる破風被覆面３内の部分（すなわち前面上下被覆面４Ａ，４Ｂからなる前面被覆面４内の部分を除いた部分）に適宜間隔をおいてビス１２を打ち込んで当該部分のみを固着して上部装飾体１Ａと下部装飾体１Ｂとを上下に接続して組み立てることができる。
【００１５】
このように屋根切妻側装飾体１を組み立てれば、上面被覆面２と、破風被覆面３と、下面被覆面５とから断面コ字状を形成することができ、破風被覆面３及び前面被覆面４内の上下中間部位に連続して重合面９及び垂下面８Ａ，８Ｂからなる凹溝部１３が形成される。
そしてこのように破風被覆面３内に凹溝部１３を形成すれば、破風被覆面３は平坦面では撓ませにくくとも、凹溝部１３を形成する各折曲部を折り目としてくの字状に弾性的に撓み変形させることができる。しかも、この凹溝部１３のうちの前面被覆面３内の部分は固着してないから、前面上下被覆面４Ａ，４Ｂを上下に分割させて口を開かせることができ、図３（Ａ）（Ｂ）に示すように、屋根切妻側装飾体１の破風５２側、言いかえれば前記断面コ字状の開口側を拡開させるように弾性的に撓み変形させることができる。
【００１６】
次に、屋根切妻側装飾体１の取付け方法及び取付け構造について説明する。
【００１７】
屋根切妻側装飾体１は、図１及び図３に示すように、切妻屋根５０の妻側端部分すなわちケラバ部分にブラケット２１、２１・・を介して取付けることができる。
【００１８】
ブラケット２１は、図３及び図４に示すように、上記装飾体１の取付部材兼用の支持金具であって、破風５２の短手巾と略同じ長さと適宜巾を有する破風固着面２２内の長さ方向中間部を適宜長さに渡って外側突出して装飾体側面支持面２３を設け、躯体固着面２２の上端縁を内側すなわち屋根葺材５１側に折曲して装飾体上面支持面２４を形成し、この装飾体上面支持面２４の内側端縁部を垂直に折曲して上記固着片部７と接合し得る折曲片２５を設け、躯体固着面２２の下端縁を内側に折曲して装飾体下面支持片２６を形成し、この内側端縁部を立ち上げて起立片２７を設けて形成されている。
【００１９】
先ず、このブラケット２１を、図３（Ａ）（Ｂ）に示すように、破風５２の上端面５２ａに装飾体上面支持面２４を当接し、破風固着面２２の上下側部それぞれに釘などを打ち込むなどして破風５２に固着するようにして、破風５２の長さ方向に適宜間隔をおいて取付ける。
次に、屋根切妻側装飾体１の破風５２側、言いかえれば前記断面コ字状の開口側を拡開させるように装飾体１を撓み変形させた状態でブラケット２１に外側から被せて、装飾体上面支持面２４上に上面被覆面２を重ね、折曲片２５の内側に固着片部７を重ねて係合させ、凹溝部１３の底面（すなわち重合面９）を装飾体側面支持面２３の当接し、凹溝部１０の底面を装飾体下面支持片２６の下に重ね、起立片２７の内側に凹溝部１０を嵌め込むようにする。このようにブラケット２１に装飾体１を装着して仮固定すれば、以後の取付け作業においては装飾体１を手で支持する必要がない。
そこで次に、図１に示すように、前面被覆面４と、軒樋の前面側を被覆する軒側フロントパネル５３の前面とが面一になるように装飾体１の位置調整を図り、そして、位置が決まったら、図４に示すように、凹溝部１３内に打ち込んだビス１２を更に打ち込んで装飾体側面支持面２３を貫通させて凹溝部１３の底面（すなわち重合面９）と装飾体側面支持面２３とを固着する。凹溝部１０にもビス１４を打ち込んで凹溝部１０の底面と装飾体下面支持片２６とを固着すると共に、折曲片２５と固着片部７もビス１５でビス止めして、ブラケット２１に装飾体１を固定する。
【００２０】
また、このようにして切妻屋根５０の妻側端部分の先端部に取付けた装飾体１の妻側上方には、図５に示すように、装飾体１と同様の断面構造を有する装飾体３１、すなわち上面被覆面３２と、破風被覆面３３と、下面被覆面３５とから断面コ字状を形成すると共に、破風被覆面３３内に長さ方向に伸びた溝部３６を設け、この溝部３６を折目として前記断面コ字状の開口側を拡開し得る構成を有する装飾体３１を、装飾体１と同様に取付ければよい。そして、この際、装飾体１と装飾体３１の接続部には、やはり装飾体１、３１と同様の断面構造を有する継ぎ手材４１を取付ければよい。
【図面の簡単な説明】
【図１】  本発明の一実施例に係る屋根切妻側装飾体を装着した屋根の構成を示した斜視図である。
【図２】  本発明の一実施例に係る屋根切妻側装飾体の分解状態を示した図であり、（Ａ）はその斜視図、（Ｂ）はその断面図である。
【図３】  図2の屋根切妻側装飾体の取付け方法を説明するための図であり、（Ａ）はその斜視図、（Ｂ）はその断面図である。
【図４】  図2の屋根切妻側装飾体の取付け状態を示した断面図である。
【図５】  屋根切妻側に取付ける他の屋根切妻側装飾体及び継ぎ手材を示した斜視図である。
【符号の説明】
１  屋根切妻側装飾体
１Ａ  上部装飾体
１Ｂ  下部装飾体
２    上面被覆面
３    破風被覆面
３Ａ  破風上側被覆面
３Ｂ  破風下側被覆面
４    前面被覆面
４Ａ  前面上側被覆面
４Ｂ  前面下側被覆面
５    下面被覆面
６    段差部
７    固着片部
８Ａ，８Ｂ  垂下面
９    重合面
９Ａ、９Ｂ  接合片
１０  凹溝部
１１  起立片
１２，１４、１５  ビス
１３  凹溝部
２１  ブラケット
２２  破風固着面
２３  装飾体側面支持面
２４  装飾体上面支持面
２５  折曲片
２６  装飾体下面支持片
２７  起立片
３１  装飾体
４１  継ぎ手材
５０  切妻屋根
５１  屋根葺材
５２  破風
【図１】
0003854443.tif 000002
【図２】
0003854443.tif 000003
【図３】
0003854443.tif 000004
【図４】
0003854443.tif 000005
【図５】
0003854443.tif 000006